(57)【要約】【課題】生体組織を再生するための細胞への刺激を簡易且つ迅速に付与することができる医療器具及び生体組織再生方法を提供する。【解決手段】医療器具１０は、複数の微細針１１と、微細針１１の基端１４をそれぞれ支持して、複数の微細針１１を略平行に配列する支持体１２とを具備する。複数の微細針１１は、基端１５が支持体に支持されて略平行に配列されている。したがって、複数の微細針１１の各先端は、ほぼ同じ方向を向いている。使用に際しては、支持体１２が持たれることにより、複数の微細針１１を一体に所望の生体組織と対向させることができる。そして、支持体１２を生体組織に近づけることにより、その生体組織に各微細針１１がほぼ同時に刺通される。【選択図】図１
2008264043.tif 000002
【特許請求の範囲】
【請求項１】
複数の微細針と、
上記微細針の基端をそれぞれ支持して、複数の微細針を略平行に配列する支持体と、を具備する医療器具。
【請求項２】
上記微細針は、生体組織に刺通された際に当該生体組織に出血等の明らかな損傷を来さない程度の径及び形状である請求項１に記載の医療器具。
【請求項３】
上記微細針は、上記支持体に密集配列されたものである請求項１又は２に記載の医療器具。
【請求項４】
上記微細針が生体組織に刺通されることにより、当該生体組織に細胞再生のための刺激を付与するために使用される請求項１から３のいずれかに記載の医療器具。
【請求項５】
少なくとも先端に開口を有するガイド管と、
上記ガイド管に挿入されて、当該ガイド管の軸方向へ相対移動可能な軸索と、
上記軸索に連動されて、上記ガイド管の開口から出没される支持体と、
略平行に配列された状態で、その基端が上記支持体に支持された複数の微細針と、を具備する医療器具。
【請求項６】
上記支持体は、上記ガイド管の開口からの出没に連動して、当該開口より大きな外形に展開される第１姿勢と、当該開口から上記ガイド管の内部へ収容可能な大きさの外形に折り畳まれる第２姿勢とに姿勢変化される請求項５に記載の医療器具。
【請求項７】
上記ガイド管がカテーテルである請求項５又は６に記載の医療器具。
【請求項８】
上記ガイド管が中空針である請求項５又は６に記載の医療器具。
【請求項９】
上記微細針は、生体組織に刺通された際に当該生体組織に出血等の明らかな損傷を来さない程度の径及び形状である請求項５から８のいずれかに記載の医療器具。
【請求項１０】
上記微細針は、上記支持体に密集配列されたものである請求項５から９のいずれかに記載の医療器具。
【請求項１１】
上記微細針が生体組織に刺通されることにより、当該生体組織に細胞再生のための刺激を付与するために使用される請求項５から１０のいずれかに記載の医療器具。
【請求項１２】
生体組織の一定領域に複数本の微細針を刺通して、当該生体組織を構成する細胞を刺激する組織再生方法。
【請求項１３】
上記微細針は、生体組織に刺通された際に当該生体組織に出血等の明らかな損傷を来さない程度の径及び形状である請求項１２に記載の組織再生方法。
【発明の詳細な説明】
【技術分野】
【０００１】
本発明は、複数の微細針が略平行に配列されて支持体に支持されてなる医療器具に関する。また、本発明は、生体組織の一定領域に複数本の微細針を刺通する組織再生方法に関する。
【背景技術】
【０００２】
再生医療の分野において、生体組織を再生させる試みがなされている。生体組織を再生させる手法として、例えば、成長因子の投与、幹細胞移植などがあげられる。
【０００３】
特許文献１には、生体組織再生用の移植材が開示されている。この移植材は、生体組織としての骨を再生するためのものである。移植材は、管状部材の周囲に補填材混合物及び生体適合性膜が配置されてなる。管状部材は、浸透膜や中空子膜からなる。補填材混合物は、β−ＴＣＰ多孔体の顆粒、間葉系幹細胞、及びＰＲＰを含む混合物であり、生体適合性膜は、この補填材混合物を包み込む膜である。この移植材が生体内に留置されて、管状部材に血液が流通されることにより、血液から酸素や栄養分が外部へ透過され、補填材混合物中のＰＲＰの作用により、補填材混合物を足場とした幹細胞の効率的かつ安定した迅速な成長が促進される。そして、幹細胞の成長により形成された再生用移植骨が、骨欠損部に補填される。
【０００４】
特許文献２には、細胞生理活性物質と細胞移植とを組み合わせて、生物の臓器や器官の組織を再生させる方法が開示されている。この方法において用いられる組成物は、細胞生理活性物資及び細胞を、心臓への移入に適した形態で含む。これにより、拡張型心筋症や心筋梗塞などの種々の心臓疾患を治療及び予防することができるとされている。
【０００５】
【特許文献１】特開２００５−３３４４５６号公報
【特許文献２】特開２００５−３５９４５号公報
【発明の開示】
【発明が解決しようとする課題】
【０００６】
しかし、特許文献１に開示されているような移植材や幹細胞の移植は、生体適合性の適否の判断や施術に高度な専門知識及び技術を有し、さらに、検査や幹細胞の培養などの事前準備が膨大であるという問題がある。また、移植に伴う患者への侵襲も少なくない。これは、特許文献２に開示されている方法においても同様である。
【０００７】
本発明は、これらの事情に鑑みてなされたものであり、生体組織を再生するための細胞への刺激を簡易且つ迅速に付与することができる医療器具及び生体組織再生方法を提供することを目的とする。
【課題を解決するための手段】
【０００８】
(1)  本発明にかかる医療器具は、複数の微細針と、上記微細針の基端をそれぞれ支持して、複数の微細針を略平行に配列する支持体と、を具備する。
【０００９】
複数の微細針は、基端が支持体に支持されて略平行に配列されている。略平行に配列とは、微細針の軸方向が略平行であるという意味である。したがって、複数の微細針の各先端は、ほぼ同じ方向を向いている。使用に際しては、支持体が持たれることにより、複数の微細針を一体に所望の生体組織と対向させることができる。そして、支持体を生体組織に近づけることにより、その生体組織に各微細針がほぼ同時に刺通される。
【００１０】
(2)  上記微細針は、生体組織に刺通された際に当該生体組織に出血等の明らかな損傷を来さない程度の径及び形状である。これにより、生体組織を損傷させることなく、生体組織を構成する細胞へ刺激を付与することができる。
【００１１】
(3)  好ましくは、上記微細針は、上記支持体に密集配列されたものである。これにより、生体組織の所定領域に複数の微細針を刺通することができ、細胞の再生が一層促進される。
【００１２】
(4)  本医療器具は、上記微細針が生体組織に刺通されることにより、当該生体組織に細胞再生のための刺激を付与するために使用されるものとして好適である。この細胞再生は、微細針が生体組織に刺通されることにより、生体組織を構成する細胞が刺激され、その細胞から成長因子等の分泌が促されるとともに細胞の増殖が活性化されると考えられる。
【００１３】
(5)  本発明にかかる医療器具は、少なくとも先端に開口を有するガイド管と、上記ガイド管に挿入されて、当該ガイド管の軸方向へ相対移動可能な軸索と、上記軸索に連動されて、上記ガイド管の開口から出没される支持体と、略平行に配列された状態で、その基端が上記支持体に支持された複数の微細針と、を具備する。
【００１４】
ガイド管に対して軸索が軸方向へ相対移動されることと連動して、ガイド管の開口から支持体が出没される。支持体には、複数の微細針が略平行に配列された状態に支持されている。使用に際しては、支持体をガイド管の開口へ没入させた状態で、その開口を先端として、ガイド管が生体の血管や腹腔へ挿入される。そして、ガイド管の開口を心筋や肝臓などの所望の生体組織付近に位置せしめ、軸索を操作することによって、ガイド管の開口から支持体を進出させる。これにより、支持体に支持された複数の微細針を所望の生体組織と対向させることができる。そして、軸索又はガイド管を操作して、支持体を生体組織に近づけることにより、その生体組織に各微細針がほぼ同時に刺通される。
【００１５】
(6)  上記支持体は、上記ガイド管の開口からの出没に連動して、当該開口より大きな外形に展開される第１姿勢と、当該開口から上記ガイド管の内部へ収容可能な大きさの外形に折り畳まれる第２姿勢とに姿勢変化されるものであってもよい。
【００１６】
これにより、生体組織において、ガイド管の外径より大きな領域に対して、複数の微細針をぼほ同時に刺通させることができる。
【００１７】
(7)  好ましくは、上記ガイド管がカテーテルである。
【００１８】
(8)  好ましくは、上記ガイド管が中空針である。
【００１９】
(9)  上記微細針は、生体組織に刺通された際に当該生体組織に出血等の明らかな損傷を来さない程度の径及び形状である。これにより、生体組織を損傷させることなく、生体組織を構成する細胞へ刺激を付与することができる。
【００２０】
(10)  好ましくは、上記微細針は、上記支持体に密集配列されたものである。これにより、生体組織の所定領域に複数の微細針を刺通することができ、細胞の再生が一層促進される。
【００２１】
(11)  本医療器具は、上記微細針が生体組織に刺通されることにより、当該生体組織に細胞再生のための刺激を付与するために使用されるものとして好適であり、特に生体内部の組織に対して好適である。
【００２２】
(12)  本発明は、生体組織の一定領域に複数本の微細針を刺通して、当該生体組織を構成する細胞を刺激する組織再生方法として捉えることができる。
【００２３】
(13)  上記微細針は、生体組織に刺通された際に当該生体組織に出血等の明らかな損傷を来さない程度の径及び形状である。これにより、生体組織を損傷させることなく、生体組織を構成する細胞へ刺激を付与することができる。
【発明の効果】
【００２４】
本発明にかかる医療器具によれば、複数の微細針が支持体に支持されて略平行に配列されているので、所望の生体組織に各微細針をほぼ同時に刺通することができる。これにより、生体組織を再生するための細胞への刺激を簡易且つ迅速に付与することができる。
【００２５】
また、本発明にかかる医療器具によれば、ガイド管に対して軸索が軸方向へ相対移動されることと連動して、ガイド管の開口から支持体が出没され、その支持体には、複数の微細針が略平行に配列された状態に支持されているので、ガイド管を生体の血管や腹腔へ挿入して、その開口を心筋や肝臓などの所望の生体組織付近に位置せしめて、その生体組織に各微細針をほぼ同時に刺通することができる。これにより、生体内部の組織を再生するための細胞への刺激を簡易且つ迅速に付与することができる。
【００２６】
また、本発明にかかる組織再生方法によれば、生体組織を再生するための細胞への刺激を簡易且つ迅速に付与することができる。
【発明を実施するための最良の形態】
【００２７】
以下、本発明の好ましい実施形態を説明する。なお、本実施形態は本発明の一実施態様にすぎず、本発明の要旨を変更しない範囲で実施態様を変更できることは言うまでもない。
【００２８】
［第１の実施形態］
図１は、本発明の第１の実施形態にかかる医療器具１０の外観構成を示す斜視図である。図２は、支持体１２が微細針１１を支持する構成を示す断面図である。なお、図１では、複数の微細針１１のうち一部の微細針１１にのみ参照符号が付されているが、その他の微細針１１も同様のものである。
【００２９】
医療器具１０は、複数の微細針１１が支持体１２に支持されたものである。本医療器具１０は、複数の微細針１１が生体組織に刺通されることにより、その生体組織に細胞再生のための刺激を付与するために使用される。
【００３０】
微細針１１は、生体組織に刺通された際に、その生体組織に出血等の明らかな損傷が来さない程度の径及び形状である。具体的には、微細針１１の最大径は０．１２〜０．３４ｍｍの範囲内である。また、微細針１１の針先が錐形であり、その錐形のテーパ比は、３／１００〜３０／１００の範囲内である。微細針１１の最大径及び形状が上記範囲内であれば、例えば、ヒト皮膚に微細針１１を刺通しても出血等の明らかな損傷が生じない。微細針１１の最大径の下限は特に限定されないが、あまりに最大径が小さければ微細針１１の剛性が弱くなり、生体組織へ刺通することが困難である。なお、微細針１１の最大径とは、微細針１１の最も太い箇所の直径をいうが、通常は、針先以外の胴部分は一定の径である。また、微細針１１において針先とは、微細針１１の先端１５を含むテーパ形状の部分である。錐形とは、円錐形状や角錐形状など、胴部分からテーパ形状に細くなって尖った先端１５を有する形状を広く含む。また、針先のテーパ形状は必ずしも直線的に細くなる必要はなく、若干外側へ膨らむような曲面により形成されてもよい。
【００３１】
なお、微細針１１の長さは特に限定されず、支持体１２から突出する長さが、生体組織へ刺通する深さより十分に大きければよい。微細針１１を生体組織へどの程度の深さまで刺通するかは、生体組織やその状況により異なるが、好ましくは５〜１５ｍｍである。また、微細針１１の素材は特に限定されないが、例えば、ステンレスなどの金属製のものが採用される。また、刺通抵抗の軽減などを目的として、微細針１１にシリコン樹脂などがコーティングされてもよい。
【００３２】
支持体１２は、複数の微細針１１を支持する。支持体１２の大きさや形状は特に限定されず、例えば、図１に示されるように、微細針１１が延びる方向を厚み方向とする平板形状のものであればよい。もちろん、支持体１１の形状として、円盤形状や半球形状などの他の形状が採用されてもよい。支持体１２の大きさは、支持すべき微細針１１の本数やハンドリングなど考慮して適宜設定される。また、図１には示されていないが、支持体１２の裏面側に、ハンドリングを向上させる目的で、把手や棒状部材などが設けられてもよいし、カテーテルなどの先端に支持体１２が固定されてもよい。支持体１２の素材として、金属製の微細針１１との密着性が良好であって、医療器具として好適なものが採用され、例えば、シリコン、ポリプロピレンなどがあげられる。
【００３３】
図２に示されるように、支持体１２には、各微細針１１に対応して支持孔１３が穿たれている。支持孔１３は、微細針１１の外径とほぼ同等の径であり、支持体１２に対して厚み方向（上下方向）に貫通されている。この支持孔１３に、微細針１１の基端１４が挿入されて、微細針１１が支持孔１３の軸方向に起立した状態に支持される。なお、微細針１１の先端１５は、いわゆる針先である。微細針１１の基端１４側は、接着剤などの固定手段により支持孔１３に固定されている。微細針１１を支持孔１３に固定する手段は、その他の公知の手段を採用することができる。これにより、生体組織に刺通された微細針１１が、支持体１２から脱落することが防止される。その他の微細針１１も同様に固定されて、支持体１２に対して一方向へ起立している。
【００３４】
支持体１２は、前述されたようにして、複数の微細針１１を支持する。支持体１２に支持された微細針１１は、図１に示されるように、略平行に配列される。ここで、略平行とは、各微細針１１の軸方向がほぼ平行であることをいう。ただし、各微細針１１の軸方向が厳密に平行であるか否かは問題ではなく、生体組織に対して支持体１２を一方向へ相対移動させることにより、複数の微細針１１が生体組織に刺通可能な程度に平行であればよい。
【００３５】
このようにして、複数の微細針１１が支持体１２により密集配列されている。ここで、密集配列とは、隣接する微細針１１が非常に近い位置に配置されて複数本が一体となった状態をいう。隣接する微細針１１の離間距離（ピッチ）は、例えば、複数の微細針１１が起立する支持体１２の上面１６の面積を１００ｍｍ２とすると、数十本から数百本の微細針１１がほぼ等間隔で配置される程度である。この微細針１１のピッチは、細胞に刺激を付与する生体組織の種類や状況に応じて変更され、所望の生体組織を構成する細胞の再生が最も促進されるピッチが採用される。
【００３６】
このような医療器具１０は、前述されたように、所望の生体組織に対して、その生体組織を構成する細胞を再生するための刺激を付与する目的で使用される。生体としては、ヒトやほ乳類などがあげられる。生体組織として、肝臓、腎臓、心筋、皮膚、骨格筋などがあげられる。使用に際して、医療器具１０は、微細針１１の先端１５を所望の生体組織と対向する位置へ配置される。例えば、皮膚であれば、支持体１２を持ち、その皮膚の近くに医療器具１０を配置すればよい。また、肝臓であれば、必要に応じて、切開により生体組織を露出させてもよい。そして、その生体組織に支持体１２を近づけることにより、その生体組織に各微細針１１がほぼ同時に刺通される。微細針１１が刺通される深さは、生体組織の種類や状況により異なるが、好ましくは５〜１５ｍｍである。これにより、生体組織かに出血等の明らかな損傷を与えることなく、生体組織を構成する細胞へ刺激を付与することができる。そして、刺激が付与された細胞から成長因子等の分泌が促されるとともに細胞の増殖が活性化され、生体組織が再生される。
【００３７】
このように、本実施形態にかかる医療器具１０によれば、複数の微細針１１が支持体１２に支持されて略平行に配列されているので、所望の生体組織に各微細針１１をほぼ同時に刺通することができる。これにより、生体組織を再生するための細胞への刺激を簡易且つ迅速に付与することができる。
【００３８】
また、微細針１１は、生体組織に刺通された際に、その生体組織に出血等の明らかな損傷を来さない程度の径及び形状であるので、生体組織に損傷を与えることなく、生体組織を構成する細胞へ刺激を付与することができる。
【００３９】
また、微細針１１は、支持体１２に密集配列されているので、生体組織の所定領域に複数の微細針１１をほぼ同時に刺通することができ、細胞の再生が一層促進される。
【００４０】
［第２の実施形態］
図３及び図４は、本発明の第２の実施形態にかかる医療器具２０の構成を示す拡大断面図である。図３においては、支持体２４Ａ，２４Ｂが第１姿勢である医療器具２０が示されており、図４においては、支持体２４Ａ，２４Ｂが第２姿勢である医療器具２０が示されている。
【００４１】
医療器具２０は、全体としてカテーテルを構成しており、シース２１内にワイヤ２２が挿入され、そのワイヤ２２の先端に、複数の微細針２３を支持する一対の支持体２４Ａ，２４Ｂが連結されたものである。本医療器具２０は、複数の微細針１１が生体組織に刺通されることにより、その生体組織に細胞再生のための刺激を付与するために使用され、特に生体内部の組織に対して好適に使用される。
【００４２】
シース２１は、本発明におけるガイド管の一例である。シース２１は、ポリウレタンやポリエステル、ポリエチレン、フッ素樹脂などのプラスチックで形成された管状の部材であり、基端から先端２５に貫通するルーメンを有する。シース２１は、生体の血管へ挿入可能な形状及び外径であり、このような形状及び外径としてカテーテルに採用される公知の形状及び外径があげられる。各図には示されていないが、シース２１の基端は封止されて、後述されるワイヤ２２の一端がスライド操作可能に突出されている。
【００４３】
ワイヤ２２は、本発明における軸索の一例である。ワイヤ２２は、例えばステンレスやニッケル−チタン合金などの可撓性を有する線状の部材であり、シース２１のルーメンへ挿入されて、シース２１の軸方向へスライド移動可能な外径である。ワイヤ２２は、シース２１の軸方向の長さより長く、ワイヤ２２の一端は、シース２１の基端から外部へ突出されている。シース２１の基端から突出されたワイヤ２２の一端を操作することにより、ワイヤ２２がシース２１の軸方向へスライド移動される。
【００４４】
一対の支持体２４Ａ，２４Ｂは、ワイヤ２２の先端に連結されている。したがって、ワイヤ２２がシース２１に対してスライドされると、支持体２４Ａ，２４Ｂは、ワイヤ２２と連動してシース２１に対してスライドされ、シース２１の先端２５の開口から出没される。
【００４５】
図３に示されるように、シース２１の内部において、一対の支持体２４Ａ，２４Ｂは、ワイヤ２２との連結部位２６から先端２５側へ延出されて相互に対向配置される。換言すれば、連結部位２６において一対の支持体２４Ａ，２４Ｂが折り畳まれた状態となっている。これにより、一対の支持体２４Ａ，２４Ｂの外形がシース２１のルーメンへ収容可能な大きさとなる。このような図３に示される一対の支持体２４Ａ，２４Ｂの状態が、本発明における第２姿勢に相当する。
【００４６】
図４に示されるように、一対の支持体２４Ａ，２４Ｂは、シース２１の先端２５から外部へ突出された状態において、ワイヤ２２との連結部位２６からワイヤ２２の軸方向と直交する方向へ延出されて一つの平板形状に展開される。これにより、一対の支持体２４Ａ，２４Ｂの外形がシース２１の先端２５の開口より大きくなる。このような図４に示される一対の支持体２４Ａ，２４Ｂの状態が、本発明における第１姿勢に相当する。
【００４７】
一対の支持体２４Ａ，２４Ｂは、前述された第１姿勢と第２姿勢とに姿勢変化可能である。一対の支持体２４Ａ，２４Ｂは、外力が付与されない状態では第１姿勢を維持するように構成されている。そして、一対の支持体２４Ａ，２４Ｂは、第１姿勢から第２姿勢へ弾性変形可能である。一対の支持体２４Ａ，２４Ｂの弾性変形は、例えば、支持体２４Ａ，２４Ｂを弾性変形可能な合成樹脂製のものとして平板形状に一体成形したり、連結部位２６にバネを配置して支持体２４Ａ，２４Ｂに弾性付勢力を付与させたりすることにより実現される。
【００４８】
したがって、図４に示されるように、一対の支持体２４Ａ，２４Ｂは、シース２１の先端２５から進出された状態では第１姿勢を維持し、ワイヤ２２が引き戻されることと連動して、一対の支持体２４Ａ，２４Ｂがシース２１の先端２５の開口からルーメンへ収まる際に、先端２５の開口周囲に当接されることによって、一対の支持体２４Ａ，２４Ｂが第１姿勢から第２姿勢へ姿勢変化しながら、シース２１のルーメンへ収容されて、最終的に、図３に示されるように、シース２１のルーメン内へ完全に没入される。
【００４９】
微細針２３の最大径や形状、素材などは、第１の実施形態における微細針１１と同様であり、また、各支持体２４Ａ，２４Ｂの形状や素材などは、第１の実施形態における支持体１２と同様である。また、支持体２４Ａ，２４Ｂに対して複数の微細針２３がそれぞれ密集配置されているが、微細針２３の固定手段や配置は、第１の実施形態と同様である。したがって、ここではこれらの詳細な説明が省略される。
【００５０】
一対の支持体２４Ａ，２４Ｂにそれぞれ密集配置された複数の微細針２３は、図４に示されるように、一対の支持体２４Ａ，２４Ｂが第１姿勢となると、シース２１の軸方向とほぼ平行となって、外部へ向かって突出する。一方、図３に示されるように、一対の支持体２４Ａ，２４Ｂが第２姿勢となると、一対の支持体２４Ａ，２４Ｂがほぼ対向配置されることに伴って、相互の支持体２４Ａ，２４Ｂ側へ向かって突出する。
【００５１】
このような医療器具２０は、前述されたように、特に生体内部の所望の生体組織に対して、その生体組織を構成する細胞を再生するための刺激を付与する目的で使用される。生体としては、ヒトやほ乳類などがあげられる。生体組織として、心筋などの組織があげられる。使用に際して、予めワイヤ２２を操作して一対の支持体２４Ａ，２４Ｂを第２姿勢としてシース２１のルーメンへ没入させた状態で、シース２１を生体の血管へ挿入し、シース２１の先端２５を心筋などの所望の生体組織付近に位置せしめる。その状態において、ワイヤ２２を操作して、シース２１の先端２５から一対の支持体２４Ａ，２４Ｂを進出させて第１姿勢とする。これにより、支持体２４Ａ，２４Ｂに支持された複数の微細針２３が所望の生体組織と対向される。そして、ワイヤ２２を、又はワイヤ２２をシース２１とともに操作して、支持体２４Ａ，２４Ｂを生体組織に近づけることにより、その生体組織に各微細針２３がほぼ同時に刺通される。微細針１１が刺通される深さは、生体組織の種類や状況により異なるが、好ましくは５〜１５ｍｍである。これにより、生体組織に出血等の明らかな損傷を与えることなく、生体組織を構成する細胞へ刺激を付与することができる。そして、刺激が付与された細胞から成長因子等の分泌が促されるとともに細胞の増殖が活性化され、生体組織が再生される。
【００５２】
このように、本実施形態にかかる医療器具２０によれば、シース２１に対してワイヤ２２が軸方向へスライド移動されることと連動して、シース２１の先端２５から支持体２４Ａ，２４Ｂが出没され、その支持体２４ａ，２４ｂには、複数の微細針２３が略平行に配列された状態に支持されているので、シース２１を生体の血管へ挿入して、その先端２５を心筋などの所望の生体組織付近に位置せしめて、その生体組織に各微細針２３をほぼ同時に刺通することができる。これにより、生体内部の組織を再生するための細胞への刺激を簡易且つ迅速に付与することができる。
【００５３】
また、支持体２４Ａ，２４Ｂは、シース２１の先端２５からの出没に連動して、先端２５の開口より大きな外形に展開される第１姿勢と、先端２５の開口からシース２１の内部へ収容可能な大きさの外形に折り畳まれる第２姿勢とに姿勢変化されるので、生体組織において、シース２１の外径より大きな領域に対して、複数の微細針２３をぼほ同時に刺通させることができる。その一方で、シース２１の外径を小さくして血管への挿入を容易とすることができる。
【００５４】
また、微細針２３は、生体組織に刺通された際に、その生体組織に出血等の明らかな損傷を来さない程度の径及び外径であるので、生体組織に損傷を与えることなく、生体組織を構成する細胞へ刺激を付与することができる。
【００５５】
また、微細針２３は、支持体２４Ａ，２４Ｂに密集配列されているので、生体組織の所定領域に複数の微細針２３をほぼ同時に刺通することができ、細胞の再生が一層促進される。
【００５６】
なお、本実施形態では、本発明におけるガイド管の一例としてシース２１が示されているが、当該ガイド管はシース２１に限定されない。例えば、本発明におけるガイド管として、生検針のカヌラ（中空針）が採用されてもよい。これにより、例えば、本発明におけるガイド管としての生検針のカヌラを生体の腹腔内へ刺し入れて、そのカヌラの先端を肝臓などの所望の臓器付近に位置せしめてワイヤ２２を操作することにより、そのカヌラの先端から支持体２４Ａ，２４Ｂを出没させて、微細針２３を肝臓などの所望の領域に刺通することができる。
【実施例】
【００５７】
以下に本発明の効果を確認するための実施例及び参考例が説明される。
［ラット下肢虚血モデル］
本発明にかかる医療器具及び細胞刺激方法の効果を確認するために、ラット下肢虚血モデルを作成した。ラット下肢虚血モデルとは、閉塞性動脈硬化症（ＡＳＯ）及びバージャー病（ＴＡＯ）などの末梢動脈閉塞性疾患モデルである。本参考例は、国立循環器病センター動物管理員会の承認を受けて行った。
【００５８】
ラット下肢虚血モデルの作成にあたっては、体重２００〜３００ｇの雄ルイスラット（株式会社ＳＬＣより購入）を用いた。ラットにペントバルビタールナトリウムを腹腔内投与（５０ｍｇ／ｋｇ）することにより、全身麻酔を行った。次に、ラットを仰臥位にした状態で、左鼠径部から大腿部へかけて皮切を加えた。そして、左下肢において左大腿動脈起始部から膝窩動脈までを側枝とともに結紮切除した。これにより、ラットの左下肢の血流は低下する。一方、右下肢は手術操作を一切加えず、健常な状態のままとした。
【００５９】
［実施例］
前述された作業から１日経過後の上記ラット下肢虚血モデルを用いて、本発明の細胞刺激方法を実施した。針は、市販の鍼灸治療針（直径０．１４ｍｍ、長さ３９ｍｍ、ステンレス製、日進医療器機）を使用した。まず、ラットにペントバルビタールナトリウムを腹腔内投与（５０ｍｇ／ｋｇ）することにより、全身麻酔を行った。次に、ラットを仰臥位にした状態で、左大腿部内側の内転筋の直上の皮膚に１０ｍｍ四方の正方形をマーキングした。そして、１０ｍｍ四方の正方形の領域に、上記針１００本を１本ずつ内転筋に十分届く深さ（１５ｍｍ程度）まで刺し込んだ。これらの処置をラット下肢虚血モデル２０頭に施した。本実施例は、国立循環器病センター動物管理員会の承認を受けて行った。
【００６０】
［比較例］
前述された作業から１日経過後の上記ラット下肢虚血モデル２０頭を比較例とした。
【００６１】
［評価］
実施例及び比較例の評価をレーザードップラー血流計（ＬＤＰＩ、Ｍｏｏｒ社）を用いて行った。１回目の測定は、実施例においては、ラット下肢虚血モデル作成作業から１日経過後であって実施例の作業を行った後に、比較例においては、ラット下肢虚血モデル作成作業から１日経過後に実施例の作業をすることなく行った。測定は、ペントバルビタールナトリウムを腹腔内投与（５０ｍｇ／ｋｇ）することにより、全身麻酔を施した後、仰臥位にした状態で行った。
【００６２】
さらに、上記のラット下肢虚血モデルを作成した日から３週間経過後における実施例及び比較例の下肢の状態について、レーザードップラー血流計にて２回目の測定をした。測定は、１回目と同様にペントバルビタールナトリウムを腹腔内投与（５０ｍｇ／ｋｇ）することにより、全身麻酔を施した後、仰臥位にした状態で行った。
【００６３】
実施例及び比較例の評価結果を図５に示す。ラット下肢虚血モデルの作成作業から１日経過後（１回目）においては、実施例及び比較例ともに、レーザードップラー血流計画像上において、左下肢の血流の顕著な低下が明らかであった（図５における右上写真内矢印及び左上写真内矢印参照）。一方、三週間経過後（２回目）における左下肢の血流は、実施例における改善が比較例よりも顕著であることが明らかであった（図５における右下写真内矢印及び左下写真内矢印参照）。
【００６４】
左下肢の血流値についての評価結果を表１に示す。なお、下肢の血流量は個体ごとに様々な要因で変化するため、左下肢の血流量は、右下肢の血流量値（Flux値）に対する左下肢の血流量値（Flux値）の比で表した。
【００６５】
【表１】
2008264043.tif 000003
【００６６】
表１に示されるように、１回目の測定結果においては、実施例及び比較例ともに左下肢の血流が高度に低下していた。一方、２回目の測定結果においては、実施例の左下肢の血流が比較例の左下肢の血流に比べて有意に改善していた。
【図面の簡単な説明】
【００６７】
【図１】図１は、本発明の第１の実施形態にかかる医療器具１０の外観構成を示す斜視図である。
【図２】図２は、支持体１２が微細針１１を支持する構成を示す断面図である。
【図３】図３は、本発明の第２の実施形態にかかる医療器具２０の構成を示す拡大断面図である。
【図４】図４は、本発明の第２の実施形態にかかる医療器具２０の構成を示す拡大断面図である。
【図５】図５は、実施例及び比較例の評価結果を示す図である。
【符号の説明】
【００６８】
１０，２０・・・医療器具
１１，２３・・・微細針
１２，２４Ａ，２４Ｂ・・・支持体
１４・・・基端
２１・・・中空針（ガイド管）
２２・・・ワイヤ（軸索）
２５・・・先端
【図１】
2008264043.tif 000004
【図２】
2008264043.tif 000005
【図３】
2008264043.tif 000006
【図４】
2008264043.tif 000007
【図５】
2008264043.tif 000008